(57)【要約】      （修正有）【課題】五目並べの要素を取り入れた、簡単なルールで競う、ゲームセットを提供する。【解決手段】同色で同直径の球各１５球２組と、球の直径と同じ１辺を持つ５×５の正方形マス目の外側に正方形の中心と同じ中心を置く円形のプレイボード（スペース）とからなることを特徴としたゲームセット。ボールを平面上の円スペースの外側から順に投げ合い、円スペース内にある５×５の正方形マス目スペースに入れ、五目並べ同様に縦横斜めに５マス揃えるか、正方形マス目に入ったボール数を競う。【選択図】図１
0003182266.tif 000002
【実用新案登録請求の範囲】
【請求項１】
ボールを平面上の円スペースの外側から順に投げ合い、円スペース内にある5×5の正方形マス目スペースに入れ、五目並べ同様に縦横斜めに5マス揃えるか、正方形マス目に入ったボール数を競うゲーム。
使用品
同色のボール各15球
円内に5×5の正方形マス目のあるプレイスペース
ゲームの進め方とルール
(1) 同色のボール各15球ずつ、それぞれのプレーヤーでは違う色を使用（白と赤等）する。
(2) 先攻後攻を決め、順番に円スペースの外側から順にボールを投げ（転がし）合う。
円スペースの外側であればどこから投げても良い。
(3) 投球により円スペース内の双方のボール位置が変わった場合はその変わった状態とする。
ただし、円スペースの外に出た場合は持ち球として戻し再投球できる。
(4) 正方形マス目スペースに入ったボールが半分以上の割合でマス目に入っている場合にそのマス目を獲得する。
マス目内で線上に止まり、どちらのマス目にも寄っていない場合、または地に着いていない（ボールの上に乗っている）場合はマス目を獲得できない。
(5) 獲得したマス目のボールの位置がそのマス目から変わった場合はその変わった状態とし、元の獲得は解除される。
(6) 獲得したマス目が縦横斜めに5マス一列になれば残りのボール数に関わらず勝利、勝利者25ポイント、敗者0ポイントとする。
(7) 縦横斜めに5マス揃わなかった場合は全てのボールを投げ終わった状態で正方形マスに入っているボール数をポイントとする。
外枠を除いた正方形マス目線上のボールは正方形マスに入っているボール数としてカウントする。
正方形マスの外枠上、地に着いていない（ボールの上に乗っている）ボール、正方形マス目スペースの外で円スペース内にあるボールは無効球としてカウントしない。
(8) 先攻後攻を変更し2ゲーム行い、合計ポイントで勝敗を決める。
同ポイントの場合はポイント差が出るまでこれを繰り返す。
【考案の詳細な説明】
【技術分野】
【０００１】
対戦ゲームの一種。
【背景技術】
【０００２】
ボールを平面上の円スペースの外側から順に投げ合い、円スペース内にある5×5の正方形マス目スペースに入れ、五目並べ同様に縦横斜めに5マス揃えるか、正方形マス目に入ったボール数を競うゲーム。
【考案の概要】
【考案が解決しようとする課題】
【０００３】
日本人なら誰でも知っている五目並べの要素を取り入れた、老若男女を問わず楽しむことができる簡単なルールで競う、電機や電子機器を使用しないゲームの提供。
【課題を解決するための手段】
【０００４】
対戦人数
2人（2組）でプレーする。
【０００５】
ゲームの進め方とルール
【０００６】
同色のボール各15球ずつ、それぞれのプレーヤーでは違う色を使用（白と赤等）する。
【０００７】
先攻後攻を決め、順番に円スペースの外側から順にボールを投げ（転がし）合う。
円スペースの外側であればどこから投げても良い。
【０００８】
投球により円スペース内の双方のボール位置が変わった場合はその変わった状態とする。
ただし、円スペースの外に出た場合は持ち球として戻し再投球できる。
【０００９】
正方形マス目スペースに入ったボールが半分以上の割合でマス目に入っている場合にそのマス目を獲得する。
マス目内で線上に止まり、どちらのマス目にも寄っていない場合、または地に着いていない（ボールの上に乗っている）場合はマス目を獲得できない。
【００１０】
獲得したマス目のボールの位置がそのマス目から変わった場合はその変わった状態とし、元の獲得は解除される。
【００１１】
獲得したマス目が縦横斜めに5マス一列になれば残りのボール数に関わらず勝利、勝利者25ポイント、敗者0ポイントとする。
【００１２】
縦横斜めに5マス揃わなかった場合は全てのボールを投げ終わった状態で正方形マスに入っているボール数をポイントとする。
外枠を除いた正方形マス目線上のボールは正方形マスに入っているボール数としてカウントする。
正方形マスの外枠上、地に着いていない（ボールの上に乗っている）ボール、正方形マス目スペースの外で円スペース内にあるボールは無効球としてカウントしない。
【００１３】
先攻後攻を変更し2ゲーム行い、合計ポイントで勝敗を決める。
同ポイントの場合はポイント差が出るまでこれを繰り返す。
【００１４】
反則行為
以下の行為をした場合は、ペナルティーとして持ち球を１球減らすか反則負けとする。
(1) ボール状態とマス目獲得の確認以外に円スペース内に入る。
(2) 円スペース内の投球済みボールに持っているボールを含めて体の一部が触れる。
(3) 身障者が身障者用の器具を使う場合を除き、あらゆる器具の使用。
(4) 投球以外の振動や外的要因（飛び跳ねや息の吹きかけ等）を故意に与えること。
(5) ボールやスペースを含めた用品、設備を故意に破壊すること。
【００１５】
マス数と使用球数、使用球サイズと材質、スペースサイズは変更できる。
使用球サイズをソフトボール大にすると全身を使った競技に、小さくすることでテーブルゲームとしても展開できる。
【図面の簡単な説明】
【００１６】
【図１】ゲームに使用するボールとプレイスペース
【図２】ゲームイメージ
【図１】
0003182266.tif 000003
【図２】
0003182266.tif 000004
【手続補正書】
【提出日】平成24年11月7日(2012.11.7)
【手続補正１】
【補正対象書類名】明細書
【補正対象項目名】全文
【補正方法】変更
【補正の内容】
【考案の詳細な説明】
【技術分野】
【０００１】      ゲームセット  
【考案の概要】
【０００２】  誰でも知っている五目並べの要素を取り入れた、老若男女を問わず楽しむことができる簡単なルールで競うゲームセット。  
【図面の簡単な説明】
【０００３】
【図１】ゲームに使用する球とプレイボード（スペース）
【図２】ゲームイメージ
【手続補正２】
【補正対象書類名】実用新案登録請求の範囲
【補正対象項目名】全文
【補正方法】変更
【補正の内容】
【実用新案登録請求の範囲】
【請求項１】
同色で同直径の球各15球2組と、球の直径と同じ1辺を持つ5×5の正方形マス目の外側に正方形の中心と同じ中心を置く円形のプレイボード（スペース）とからなることを特徴としたゲームセット。   （１）同色で同直径の球各15球2組。  （２）球の直径と同じ1辺を持つ5×5の正方形マス目の外側に正方形の中心と同じ中心を置く円形のプレイボード（スペース）。     以上の組み合わせからなることを特徴とするゲームセット  
【手続補正書】
【提出日】平成25年1月11日(2013.1.11)
【手続補正１】
【補正対象書類名】実用新案登録請求の範囲
【補正対象項目名】全文
【補正方法】変更
【補正の内容】
【実用新案登録請求の範囲】
【請求項１】
同色で同直径の球各15球2組と、球の直径と同じ1辺を持つ5×5の正方形マス目の外側に正方形の中心と同じ中心を置く円形のプレイボード（スペース）とからなることを特徴としたゲームセット。